(57)【特許請求の範囲】
【請求項１】
商品ごとに商品情報を記憶する商品情報記憶部と、
出荷先である店舗を出荷すべき時間帯により設定された序列に従って記憶する店舗記憶部と、
商品ごとに出荷する数量および店舗を記憶する出荷内容記憶部とを備え、
これらの記憶内容と所定の出荷指示に従って商品を出荷する商品出荷システムであって、
前記店舗記憶部に記憶された店舗のうち任意の出荷開始店および出荷終了店を、出荷する商品とは無関係に記憶すると共に、該記憶を保持する特定出荷先記憶部を設け、
出荷する商品を指定した際に、前記出荷開始店および出荷終了店を前記特定出荷先記憶部から呼び出して前記店舗記憶部に記憶された出荷開始店から出荷終了店までの前記序列された全店舗について前記商品の商品情報を前記商品情報記憶部から呼び出すようにした商品出荷システム。
【請求項２】
請求項１において、
商品を店舗の前記序列に従って区分けして出荷する区分出荷モードと、前記区分けを行わない非区分出荷モードとを備え、
前記区分出荷モードにおいて前記出荷する商品を指定した際に、前記特定出荷先記憶部から出荷開始店および出荷終了店を呼び出せるようにした商品出荷システム。
【請求項３】
請求項２において、
前記区分出荷モードおよび非区分出荷モードを指定する入力操作部が設けられている商品出荷システム。
【請求項４】
請求項１において、
前記出荷開始店および出荷終了店を入力する入力操作部を備え、該入力操作部から出荷開始店または出荷終了店が設定入力されることで、前記特定出荷先記憶部の記憶内容が書き換えられる商品出荷システム。
【請求項５】
商品ごとに商品情報を記憶する商品情報記憶部と、
出荷先である店舗を出荷すべき時間帯により設定された序列に従って記憶する店舗記憶部と、
商品ごとに生産する数量および店舗を記憶する生産情報記憶部とを備え、
これらの記憶内容と所定の生産指示に従って商品を生産する商品生産システムであって、
前記店舗記憶部に記憶された店舗のうち任意の出荷開始店および出荷終了店を、生産する商品とは無関係に記憶すると共に、該記憶を保持する特定出荷先記憶部を設け、
生産する商品を指定した際に、前記出荷開始店および出荷終了店を前記特定出荷先記憶部から呼び出して前記店舗記憶部に記憶された出荷開始店から出荷終了店までの前記序列された全店舗について前記商品の商品情報を前記商品情報記憶部から呼び出すようにした商品生産システム。
【請求項６】
請求項１ないし４のいずれか１項において、
商品を包装する包装機と、包装された商品にラベルを貼付するラベル貼付機とを備えた商品出荷システム。
【請求項７】
請求項５において、
商品を包装する包装機と、包装された商品にラベルを貼付するラベル貼付機とを備えた商品生産システム。
【発明の詳細な説明】
【０００１】
【発明の属する技術分野】
本発明は商品出荷システムおよび商品生産システムに関するものである。
【０００２】
【従来の技術】
従来より、多量の生鮮食料品などの商品をパックして出荷するパックセンターと呼ばれるものが知られている。かかるパックセンターでは、商品の計量から値付までを自動的に行い、当該商品を出荷する商品出荷システムが導入されている場合がある。
【０００３】
この種のシステムの一例を、実施形態を示す図１を用いて説明すると、商品出荷システムは、生産管理用のパソコン（電子計算機）４と計量値付システム（商品処理システム）７とを有している。計量値付システム７は、商品処理制御装置５を有しており、該商品処理制御装置５とパソコン４とが通信手段６を介して接続されている。パソコン４は、図２に示すように外部記憶装置４４を有している。外部記憶装置４４には、図５に示すような店舗マスタ記憶部４ｇや商品処理に必要な出荷内容および商品情報が記憶されている。店舗マスタ記憶部４ｇには、互いに関連づけられた、店No. および店名が記憶されている。該店No. および店名は、たとえば、出荷すべき時間帯の早い順など所定の序列に従って記憶されている。
【０００４】
ところで、たとえば配送時間のかかる店舗などへ商品を先に出荷（早出し出荷）したい場合には、出荷時刻の制約上、当該店舗分の商品を他の商品とは区分けして処理する必要がある。このような場合、オペレータは、商品の種類を指定した後、早出し対象の店舗の出荷開始店No. および出荷終了店No. を商品処理制御装置５から入力して店舗の指定を行う。パソコン４は、出荷開始店No. および出荷終了店No. を受け取ると、店舗マスタ記憶部４ｇ（図５）を検索して、出荷開始店No. から出荷終了店No. までの店No. を読み出し、当該各店No. に対応する出荷内容と当該商品コードに対応する商品情報とを、商品処理制御装置５に出力する。商品処理制御装置５は、パソコン４から送信された出荷内容および商品情報に基づいて商品の計量および値付の制御を行う。このような処理を各商品について繰り返し、所定の配送便に商品を積み込んで、各店舗への出荷が行われる。
【０００５】
【発明が解決しようとする課題】
しかし、前記店舗の指定は、出荷開始店No. および出荷終了店No. を商品毎にその都度入力する必要があるから、店舗の指定を効率良く行えない上、入力ミスも生じ易い。かかる問題は、商品出荷システムの他に、商品生産システムにおいても同様に生じる。
【０００６】
したがって、本発明の目的は、店舗の指定を効率良く行うことができると共に、入力ミスの生じにくい商品出荷システムおよび商品生産システムを提供することである。
【０００７】
【課題を解決するための手段】
前記目的を達成するために、本発明の商品出荷システムは、商品ごとに商品情報を記憶する商品情報記憶部と、出荷先である店舗を出荷すべき時間帯により設定された序列に従って記憶する店舗記憶部と、商品ごとに出荷する数量および店舗を記憶する出荷内容記憶部とを備え、これらの記憶内容と所定の出荷指示に従って商品を出荷する商品出荷システムであって、前記店舗記憶部に記憶された店舗のうち任意の出荷開始店および出荷終了店を、出荷する商品とは無関係に記憶すると共に、該記憶を保持する特定出荷先記憶部を設け、出荷する商品を指定した際に、前記出荷開始店および出荷終了店を前記特定出荷先記憶部から呼び出して前記店舗記憶部に記憶された出荷開始店から出荷終了店までの前記序列された全店舗について前記商品の商品情報を前記商品情報記憶部から呼び出すようにしたことを特徴とする。
一方、本発明の商品生産システムは、商品ごとに商品情報を記憶する商品情報記憶部と、出荷先である店舗を出荷すべき時間帯により設定された序列に従って記憶する店舗記憶部と、商品ごとに生産する数量および店舗を記憶する生産情報記憶部とを備え、これらの記憶内容と所定の生産指示に従って商品を生産する商品生産システムであって、前記店舗記憶部に記憶された店舗のうち任意の出荷開始店および出荷終了店を、生産する商品とは無関係に記憶すると共に、該記憶を保持する特定出荷先記憶部を設け、生産する商品を指定した際に、前記出荷開始店および出荷終了店を前記特定出荷先記憶部から呼び出して前記店舗記憶部に記憶された出荷開始店から出荷終了店までの前記序列された全店舗について前記商品の商品情報を前記商品情報記憶部から呼び出すようにしたことを特徴とする。
【０００８】
本発明の商品出荷システムにおいて、早出し出荷を行う場合は、出荷開始店および出荷終了店を、出荷する商品とは無関係に入力する。入力された出荷開始店および出荷終了店は、特定出荷先記憶部に記憶されているので、商品ごとに、特定の店舗の指定を行う必要がなくなる。
【０００９】
本発明において、「序列」とは、商品を出荷する際に、出荷すべき時間帯を分けるために設定された順序をいう。
「記憶を保持する」とは、出荷開始店または出荷終了店が新たに入力されない場合には、出荷開始店および出荷終了店の記憶をそのまま保持し、一方、出荷開始店または出荷終了店のいずれか一方が新たに設定入力された場合には、当該新たに設定入力された店舗に書き換えて記憶することを意味し、メモリが不揮発性か否かを問題とするものではない。
「特定出荷先記憶部」は、店舗記憶部とは別の記憶部を設けて構成してもよいし、あるいは、店舗記憶部に記憶した店舗に識別子を付すエリアを設けて構成してもよい。
「出荷開始店から出荷終了店までの全店舗について」とは、出荷開始店および出荷終了店を含むと共に、前記店舗記憶部に記憶された出荷開始店と出荷終了店との間に配列された店舗をいう。
【００１０】
【発明の実施の形態】
以下、本発明の一実施形態を図面にしたがって説明する。
図１および図２は商品出荷システムの概略構成を示す。
図１において、計量コンベヤ２およびラベル貼付機３などからなる計量値付システム７は、図示しない各ローカル制御装置を介して商品処理制御装置５によって制御されている。商品処理制御装置５は、パソコン４に通信手段６および図示しないインターフェイスを介して接続されている。
【００１１】
前記計量コンベヤ（計量手段）２は、ストレッチ包装機１で包装された商品ＭをトレーＴごとベルトコンベヤ２０で搬送しながら計量するものであり、計量した重量を商品処理制御装置５に出力する。ラベル貼付機３は、図２のラベルプリンタ３０によって印字されたラベルを吸着して、図１の貼付コンベヤ３３上を搬送される商品Ｍにラベルを貼付する。なお、ラベルプリンタ３０（図２）はラベル貼付機３に一体的に隣接して配設されており、商品Ｍの品名や単価などの商品情報をラベルに印字して発行する。図２に示すように、商品処理制御装置５は、第１ＣＰＵ５ａ、第１ＲＡＭ５ｂおよび第１ＲＯＭ５ｃを備えたマイコン（マイクロコンピュータ）を有している。
【００１２】
一方、パソコン４は、第２ＣＰＵ４ａ、第２ＲＡＭ４ｂおよび第２ＲＯＭ４ｃを備えている。パソコン４には、ＣＲＴ４１、キーボード４２、プリンタ４３および外部記憶装置４４が接続されている。外部記憶装置４４には、商品マスタ記憶部（商品情報記憶部）４ｅ、出荷内容記憶部４ｆおよび店舗マスタ記憶部（店舗記憶部）４ｇが設けてある。商品マスタ記憶部４ｅには、図３に示すように、商品コードごとに、品名、単価およびトレーNo. などの商品情報が互いに関連付けられて記憶される。図４に示すように、出荷内容記憶部４ｆには、商品コードごとに品名、店No. および数量などの出荷内容が互いに関連づけられて記憶される。図５に示すように、店舗マスタ記憶部４ｇには、出荷先である店舗の店No. と店名とが互いに関連づけられて記憶されている。該店No. および店名は、たとえば出荷順などの所定の序列に従って記憶させてある。
【００１３】
図２の商品処理制御装置５の第１ＲＡＭ５ｂは、特定出荷先記憶部５ｄを備えている。特定出荷先記憶部５ｄは、図６に示すように、店舗マスタ記憶部４ｇ（図５）に記憶された店No. のうち、任意の店No. を出荷開始店No. および出荷終了店No. として記憶する。この、特定出荷先記憶部５ｄは、出荷開始店No. および出荷終了店No. を、出荷する商品とは無関係に記憶している。すなわち、出荷する商品コードを変更しても、第１ＲＡＭ５ｂは、出荷開始店No. および出荷終了店No. を記憶している。前記、特定出荷先記憶部５ｄは、出荷開始No. または出荷終了No. の何れか一方が新たに入力されるまで該記憶を保持する。
【００１４】
図２の第１ＣＰＵ５ａは、後述する早出しモード（区分出荷モード）と通常モード（非区分出荷モード）の何れかに設定することができる。「早出しモード」とは、特定した店舗群についてのみ包装・値付を行うモードであり、一方、「通常モード」とは、店舗の区分けを行わず包装・値付を行うモードである。第１ＣＰＵ５ａは、出荷開始店No. および出荷終了店No. などをパソコン４に送信すると共に、前述した計量値付の制御を行う。
【００１５】
商品処理制御装置５は、タッチスクリーン５１、ストロークキー５２およびバーコード読取装置５３などを備えている。
前記ストロークキー５２は、たとえば、出荷開始店および出荷終了店などを入力する入力操作部を構成する。タッチスクリーン５１は、たとえば液晶表示装置のようなディスプレイ画面に種々の情報およびメニューを表示する表示手段を構成すると共に、該表示の一部を指で触れることによって入力を行う入力操作部を構成する。タッチスクリーン５１は、たとえば図７に示すように、ラベルに印字される商品情報（品名、単価など）などの種々の情報を表示すると共に、モード切換キー９ｃなどの種々のファンクションキー９Ａを表示する。
【００１６】
つぎに、本商品出荷システムの運用方法について説明する。
商品処理制御装置５を起動すると、図７（ａ）に示す出荷初期画面が表示される。出荷初期画面には、下段に、種々のファンクションキー９Ａが表示される。前記出荷開始店No. および出荷終了店No. の設定が行われていない場合、オペレータは、店指定キー９ｂにタッチする。店指定キー９ｂにタッチすると、図８に示すような、店指定画面がタッチスクリーン５１に表示される。店指定画面には、出荷開始店および出荷終了店の店No. の表示欄や開始店および終了店の設定ボタン８ａ，８ｂなどが表示される。
【００１７】
オペレータは、ストロークキーを用いて出荷開始店No. （「０００５」）を入力した後、開始店設定ボタン８ａにタッチする。同様に出荷終了店No. （「０００９」）を入力した後、終了店設定ボタン８ｂをタッチする。これにより、出荷開始店No. から出荷終了店No. までの全店舗が早出し店舗として指定されることになる。すなわち、この図に示すように、出荷開始店として店No. 「０００５」が表示（記憶）され、一方、出荷終了店として店No. 「０００９」が表示されている場合は、図５の店舗マスタ記憶部４ｇのうちの「０００５」，「０００７」，「０００３」，「００１０」，「０００９」が早出し店舗として設定されることになる。その後、セットボタン８ｃ（図８）にタッチすると、第１ＣＰＵ５ａが、図６の特定出荷先記憶部５ｄに当該出荷開始店No. および出荷終了店No. を記憶させると共に、図７（ａ）の出荷初期画面をタッチスクリーン５１に表示させる。
【００１８】
つぎに、オペレータは、早出しモードまたは通常モードの選択を行う。これらのモードは、モード切換キー９ｃに表示されており、モードを切り換える場合は、モード切換キー９ｃにタッチする。すなわち、モード切換キー９ｃは、タッチする毎に、図７（ａ）の「通常」の表示と、図７（ｂ）の「早出し」の表示に切り換る。この表示に応じて、図２の第１ＣＰＵ５ａのモードが切り換る。
【００１９】
早出しモードが選択されている状態で、商品コードが図２のバーコード読取装置５３から入力されると、第１ＣＰＵ５ａが特定出荷先記憶部５ｄから前述の出荷開始店No. および出荷終了店No. を読み出し、当該店No. および商品コードを第２ＣＰＵ４ａに送信する。第２ＣＰＵ４ａは商品コードに対応した商品情報と、出荷開始店No. および出荷終了店No. を含む出荷開始店No. から出荷終了店No. までの全店舗（早出し店舗）のみに対応する当該商品の出荷内容を第１ＣＰＵ５ａに送信する。
【００２０】
前記第１ＣＰＵ５ａは、受信した当該商品コードに対応する商品情報と早出し店舗の出荷内容とに基づいて、図７（ｂ）の出荷商品表示画面に当該商品名、単価およびトレーNo. などの商品情報を表示させる。その後、所定のキー操作を行うことで、早出し店舗用の商品の包装と値付けが行なわれる。
【００２１】
ここで、出荷開始店No. および出荷終了店No. を、出荷する商品とは無関係に特定出荷先記憶部５ｄが記憶しているので、つぎに、同じ店舗群について、別の商品の包装と値付を行う場合には、一度入力した出荷開始店No. および出荷終了店No. を各商品ごとに入力しなくても、同様に早出し出荷を行うことができる。
【００２２】
商品の早出しを行った後、早出し店舗以外の店舗に出荷する場合は、図７（ｂ）のように「早出し」と表示されているモード切換キー７ｃにタッチする。これにより、図７（ａ）のように、モード切換キー７ｃの表示が「通常」に切り換わり、第１ＣＰＵ５ａが通常モードに設定される。
【００２３】
通常モードにおいて、商品コードが入力されると、図２の第２ＣＰＵ４ａに当該商品コードが送信され、当該商品コードに対応する商品情報と共に、店舗マスタ記憶部４ｇに記憶されている当該商品の全店舗についての出荷内容が第１ＣＰＵ５ａに送信される。第１ＣＰＵ５ａは、受信した商品情報と出荷内容とに基づいて、商品の包装値付の制御を行う。
【００２４】
つぎに、オフラインの場合について説明する。
図９に示すように、オフライン時には、商品処理制御装置５にパソコンが接続されていない。一方、かかるオフライン時に備え、商品処理制御装置５の第１ＲＡＭ５ｂには、特定出荷先記憶部５ｄの他に、商品マスタ記憶部４ｅおよび店舗マスタ記憶部４ｇを設けておく。該オフラインの場合には、所定の生産指示書に従って商品を呼び出した後に、店舗No. を入力し、更に生産数（出荷する商品の数量）を設定する。
【００２５】
早出しモードにおいては、商品コードを入力して商品を呼び出した後、店舗No. を入力すると、当該店舗が、店舗マスタ記憶部４ｇおよび特定出荷先記憶部５ｄに記憶された出荷開始店から出荷終了店までの店舗（早出し店舗）に相当するか否かを第１ＣＰＵ５ａが判断する。当該店舗が早出し店舗である場合は、生産数の設定ができ、包装・値付が行われ、一方、早出し店舗でない場合はエラー表示がなされる。
なお、通常モードにおいては、前記入力された店舗が早出し店舗か否かの判断がなされず、全ての店舗について生産数の設定ができるようになっている。
【００２６】
つぎに、本発明を商品生産システムに適用した例について説明する。
図１０に示すように、商品生産システムは、第１および第２計量値付けシステム７Ａ，７Ｂを備えている。第１および第２計量値付システム７Ａ，７Ｂは、それぞれ第１および第２商品処理制御装置５Ａ，５Ｂを有しており、各商品処理制御装置５Ａ，５Ｂは、１台のパソコン４に通信手段６，６および図示しないインターフェイスフェイスを介してそれぞれ接続されている。本実施形態では、第２商品処理制御装置５Ａに前記出荷開始店No. および出荷終了店No. を入力することで生産ラインを区別することができる。すなわち、第１計量値付システム７Ａでは、出荷開始店から出荷終了店までの全ての店舗についての包装・値付を行う。他方、第２計量値付システム７Ｂでは、その他の店舗についての商品の包装・値付を行う。なお、この場合、出荷内容記憶部４ｆに対応する記憶部として生産情報記憶部を備える。その他の構成は、前述の実施形態と同様であり、同一部分に同一の符号を付してその詳しい説明を省略する。
【００２７】
なお、以上の説明では、商品処理制御装置５に特定出荷先記憶部５ｄを設けたが、店舗マスタ記憶部４ｇの店No. に出荷開始店および出荷終了店を示すタグを関連づけて記憶させてもよい。また、パソコン４を１台としたが、２台以上のパソコンを用いて分散処理を行ったり、あるいは、パソコン４の代わりに、より処理速度の早いワークステーションなどを用いることで、処理能力を高めることができる。また、前記実施形態では、計量コンベヤ２を有する計量値付けシステムを例にとって説明したが、本発明は、計量コンベヤ２を有していないラベル貼付システムにも適用できる。
【００２８】
【発明の効果】
以上説明したように、本発明の商品出荷システムによれば、特定出荷先記憶部が、出荷開始店No. および出荷終了店No. を、出荷する商品とは無関係に記憶しているので、商品ごとに出荷開始店No. および出荷終了店No. を入力する必要がない。したがって、店舗の指定を効率良く行えると共に、入力ミスが生じにくくなる。
【図面の簡単な説明】
【図１】本発明の商品出荷システムの第１実施形態を示す概略斜視図である。
【図２】商品出荷システムを示す概略構成図である。
【図３】商品マスタ記憶部の記憶内容を示す表である。
【図４】出荷内容記憶部の記憶内容を示す表である。
【図５】店舗マスタ記憶部の記憶内容を示す表である。
【図６】特定出荷記憶部の記憶内容を示す表である。
【図７】タッチスクリーンの出荷初期画面および出荷商品表示画面を示す正面図である。
【図８】タッチスクリーンの店指定画面を示す正面図である。
【図９】商品出荷システムのオフライン時の概略構成図である。
【図１０】本発明の商品生産システムの一実施形態を示す概略斜視図である。
【符号の説明】
１：ストレッチ包装機
３：ラベル貼付機
４ｅ：商品情報記憶部
４ｆ：出荷内容記憶部
４ｇ：店舗記憶部
５１：タッチスクリーン（入力操作部）
５２：ストロークキー（入力操作部）
５ｄ：特定出荷先記憶部
Ｍ：商品
【図１】
0003919945.tif 000002
【図２】
0003919945.tif 000003
【図３】
0003919945.tif 000004
【図４】
0003919945.tif 000005
【図５】
0003919945.tif 000006
【図６】
0003919945.tif 000007
【図７】
0003919945.tif 000008
【図８】
0003919945.tif 000009
【図９】
0003919945.tif 000010
【図１０】
0003919945.tif 000011